(57)【要約】      （修正有）【課題】液晶膜を画像表示ユニットの前側に設けた場合、液晶膜が不透明状態であると、ホワイトボードに用いることができ、透明状態であると、画像表示ユニットに表示された内容を見ることができる液晶表示装置を提供する。【解決手段】液晶膜、画像表示ユニット、板体、及びフレームを備え、液晶膜１０は、透明度がコントロール可能であり、画像表示ユニット２０は、液晶膜の一方に設けられ、画像を表示するものであり、板体５０は、透光性を有し、液晶膜の他方に設けられており、フレーム６０は、液晶膜、画像表示ユニット、及び板体の縁部に設けられ、液晶膜、画像表示ユニット、及び板体を結合させ、一体に固定する。【選択図】図１
0003190235.tif 000002
【実用新案登録請求の範囲】
【請求項１】
液晶膜、画像表示ユニット、板体、及びフレームを備える液晶表示装置であって、
前記液晶膜は、透明度がコントロール可能であり、
前記画像表示ユニットは、前記液晶膜の一方に設けられており、画像を表示するものであり、
前記板体は、透光性を有し、液晶膜の他方に設けられており、
前記フレームは、前記液晶膜、前記画像表示ユニット、及び前記板体の縁部に設けられており、前記液晶膜、前記画像表示ユニット、及び前記板体を結合させ、一体に固定することを特徴とする液晶表示装置。
【請求項２】
光源装置をさらに備え、
前記光源装置は、前記画像表示ユニットの縁部に設けられており、投射方向が前記液晶膜側に向いており、
前記画像表示ユニットは、液晶ディスプレイであり、
前記板体は、透明プラスチック板であることを特徴とする請求項２に記載の液晶表示装置。
【請求項３】
前記光源装置は、反射板及び複数のＬＥＤ光源を含み、
前記反射板は、細長形状であり、長手方向に形成されている底板を有し、前記ＬＥＤ光源が長手方向に沿って前記底板に固設されており、前記底板の短手方向の両側に長手方向に沿って側板が延長されており、一方の前記側板が前記フレームに固定されており、他方の前記側板が前記画像表示ユニットに固定されていることを特徴とする請求項３に記載の液晶表示装置。
【請求項４】
前記画像表示ユニットは、液晶表示モジュールであり、
前記板体は、静電容量式タッチパネルであり、
前記フレームは、鉛直方向の下側に支持部がさらに設けられており、
前記支持部は、前記フレームとは反対側に複数のキャスタが設けられていることを特徴とする請求項５に記載の液晶表示装置。
【考案の詳細な説明】
【技術分野】
【０００１】
本考案は、液晶表示装置に関するものであり、特に複合式の液晶ディスプレイに関する。
【背景技術】
【０００２】
画像を表示する液晶ディスプレイは、通常、画像表示ユニットにバックライトパネル及び光源装置を組み合わせて構成され、画像をはっきりと表示し、コントラストを鮮明にする効果を有する。前記バックライトパネルは、視覚的透過性を有さず、尚且つ光源装置をオフにした時は黒色となり、オンにした時は白色となり、光源装置は光を液晶ディスプレイの前方に投射する。
【考案の概要】
【考案が解決しようとする課題】
【０００３】
しかしながら、公知の液晶ディスプレイは、使用していない場合、視覚的に目立つ場所に存在しているため、環境全体の中では若干突出した感じを受けることもある。視線が遮られるといった心配もある。しかも、公知の液晶ディスプレイは使用していない場合、他の機能を提供できず、視覚的にもスペースの無駄が顕著である。そこで、本考案者は公知の液晶ディスプレイにはさらに改善の必要があると考え、本考案を生み出した。
本考案の主な目的は液晶表示装置を提供することにある。
【課題を解決するための手段】
【０００４】
液晶表示装置は、液晶膜を含む。液晶膜の透明度は電圧によってコントロールされ、通電しているか否かによって液晶膜が高透明状或いは不透明状になる。液晶膜の一方には画像表示ユニットが設けられており、画像表示ユニットが画像を表示する。液晶膜の他方には板体が設けられている。液晶膜、画像表示ユニット、及び板体は、縁部にフレームが設けられており、フレームにより結合され一体に固定されている。
【０００５】
本考案による液晶表示装置は、透明または不透明状態に制御可能な液晶膜を利用するものであり、液晶膜を画像表示ユニットの前或いは後ろのいずれかに設けることができる。液晶膜を画像表示ユニットの後ろに設けた場合、液晶膜は、画像を表示する際に不透明状となり、バックライトパネルとして用いられる。画像を表示しない際は、透明状となり、視覚的な透過性を有し、視線を妨げることがない。液晶膜を画像表示ユニットの前に設けた場合、液晶膜は、画像表示ユニットに画像が表示されない場合は、白色霧化の不透明状となり、ホワイトボードとして用いられる。これにより、液晶表示装置は画像を表示しない場合に更に多元的な効果を発揮する。
【図面の簡単な説明】
【０００６】
【図１】本考案の第一実施形態による液晶表示装置を示す断面図である。
【図２】本考案の第一実施形態による光源装置の一部を示す斜視図である。
【図３】本考案の第一実施形態による液晶表示装置の使用例を示す図である。
【図４】本考案の第二実施形態による液晶表示装置を示す断面図である。
【図５】本考案の第二実施形態による液晶表示装置の使用例を示す図である。
【考案を実施するための形態】
【０００７】
（第一実施形態）
図１は本考案の第一実施形態による液晶表示装置の断面図である。図に示した液晶表示装置１００には、液晶膜１０、画像表示ユニット２０、光源装置３０、板体５０、及びフレーム６０を備える。
【０００８】
液晶膜１０は、液晶層１１及び二つの透明導電膜１２を備える。透明導電膜１２は、それぞれを液晶層１１の両側に相対する。液晶層１１の透明度は電圧によってコントロールされる。通電しているか否かによって液晶層１１を高透明状或いは不透明状にする。本考案の液晶膜１０の電気の通っていない状態では、液晶層１１の液晶分子は、ランダムに無秩序に配列され、液晶膜１０を通過した光線は屈折し分散し、液晶膜１０の外観には乳白色を均等に霧化した不透明状が現れる。液晶膜１０の透明導電膜１２を通電させた時、液晶層１１の液晶分子は、電場作用により、単一方向での配列が現れ、液晶膜１０を通過する平行光線をスムーズに通過させるため、液晶膜１０の外観は高透明状となる。液晶膜１０は、通電或いは切断の切り替えにより、透明或いは不透明の状態がコントロールされる。しかし、前述の実施形態は、単に一つの実施形態であり、本考案の実施形態に制約を加えるものではない。本考案は、液晶膜１０としてもよく、それは電気を通過させていない状態において、液晶膜１０を通過させる平行光線を順調に通過させ、液晶膜１０の外観上に高透明状を現し、通電した時、液晶膜１０を通過した光線は屈折分散し、液晶膜１０の外観上には乳白色が均等に霧化された不透明状が現れる。
【０００９】
画像表示ユニット２０は、液晶膜１０の一方に設け、画像を表示するものである。本考案の第一実施形態による画像表示ユニット２０は、液晶ディスプレイ（Ｌｉｑｕｉｄ  Ｃｒｙｓｔａｌ  Ｄｉｓｐｌａｙ、ＬＣＤ）２１であり、液晶ディスプレイ２１は液晶ディスプレイ用ガラスであり、視覚的な透過性を備える。液晶ディスプレイ２１は液晶膜１０の前側に平行に設けられる。
【００１０】
光源装置３０は、画像表示ユニット２０の周囲に設け、光源装置３０の投射方向は、液晶膜１０方向である。本考案の第一実施形態による光源装置３０は、画像表示ユニット２０の径方向に沿って画像表示ユニット２０の周囲縁に繞設する。図２に示すとおり、光源装置３０は反射板３１及び複数のＬＥＤ光源３２を有し、反射板３１は、細長形状であり、画像表示ユニット２０の周囲縁に沿って設置し、尚且つ反射板３１の長軸方向に沿って底板３１１を備える。ＬＥＤ光源３２はその長軸方向に沿って間隔をあけて底板３１１上に固定し、底板３１１の両側には長軸方向に沿ってそれぞれ側板３１２を延長させる。そのうちの一方の側板３１２は画像表示ユニット２０上に固定し、反射板３１を画像表示ユニット２０の周囲縁に斜めに設ける。底板３１１上のＬＥＤ光源３２は液晶膜１０を向いて設置され、ＬＥＤ光源３２は均等に液晶膜１０に投射される。これにより、画像表示ユニット２０の表示画像の色彩効果を高めることができる。
【００１１】
板体５０は透光性を備え、液晶膜１０の別の一方に設けられる。即ち、画像表示ユニット２０とは逆の一方に設けられる。本考案の第一実施形態による板体５０は透明プラスチック板５１であり、板体５０は液晶膜１０の後ろ側に平行に設けられる。
【００１２】
フレーム６０は液晶膜１０、画像表示ユニット２０、及び板体５０の周囲に設け、液晶膜１０、画像表示ユニット２０、及び板体５０を結合して固定させる。図２に示すとおり、画像表示ユニット２０に相対するよう固定した側板３１２の別の一方は、フレーム６０上に固定する。言い換えれば、反射板３１は底板３１１の長軸に沿って両側に延長する側板３１２の一方をフレーム６０上に固定し、側板３１２の別の一方を画像表示ユニット２０上に固定する。
【００１３】
続けて図３を参照する。図３に示した図は本考案の第一実施形態の使用図であり、本考案の第一実施形態による液晶表示装置１００は、タクシーの乗客席と運転席の間に設置するが、これは単なる一つの実施形態であり、本考案の実施形態に制約を加えるものではない。液晶表示装置１００が画像を表示する必要がある場合、液晶膜１０は電流切断状態となる。液晶膜１０の透明導電膜１２が電流を通過させないため、液晶層１１の液晶分子はランダム配列を行い、液晶膜１０は乳白色の均等に霧化する不透明状となり、画像表示ユニット２０のバックライトパネルとして用いられる。これにより、画像表示ユニット２０にはっきりとした画像を表示することができる。
【００１４】
液晶表示装置１００が画像を表示しない場合、液晶膜１０の透明導電膜１２には電流が流れ、液晶膜１０は通電状態となる。これにより、液晶層１１の液晶分子は電場作用を受けて単一方向の配列を行ない、液晶膜１０は高透明状となり、液晶表示装置１００には視覚的な透過性が備えられ、乗客や運転手の視線を遮ることがない。
【００１５】
以上のとおり、液晶表示装置１００は電流によって色を変化させる技術を利用することで、透明の仕切板或いは窓上での画像表示、広告やテレビの放送、或いは即時情報の表示を行なうことができる。これにより、液晶表示装置１００は透過性と反射特性を兼ね備える新規のディスプレイを提供する。
【００１６】
（第二実施形態）
図４には本考案の第二実施形態の断面図を示す。上述した本考案の第一実施形態と異なる箇所は次のとおりである。即ち、画像表示ユニット２０は液晶膜１０の後ろ側に平行に設けられ、板体５０は液晶膜１０の前側に平行に設けられ、画像表示ユニット２０は液晶表示モジュール（Ｌｉｑｕｉｄ  Ｃｒｙｓｔａｌ  Ｄｉｓｐｌａｙ  Ｍｏｄｕｌｅ、ＬＣＭ）２２である。液晶表示モジュール２２は液晶ディスプレイ２２１及びバックライト２２２を含む。よって、本考案の第二実施形態は光源装置を別に設ける必要がない。また、板体５０は静電容量式タッチパネル５２であり、静電容量式タッチパネル５２にはタッチセンサで画像を表示する機能を備える。静電容量式タッチパネル５２のタッチセンサ機能は静電容量式タッチセンサであり、静電容量タッチセンサシステムを組み合わせてタッチセンサを実行する。しかしこれは単に実施形態であり、本考案の実施形態に制約を加えるものではない。静電容量式タッチパネル５２は光学式センサ装置による代替を選択可能であり、赤外線ＬＥＤ（ＩＲ  ＬＥＤ）を組み合わせてセンサを行なう。
【００１７】
本考案の第二実施形態による液晶表示モジュール２２は一般に見られる従来型の液晶ディスプレイに代替してもよい。
【００１８】
図５には本考案の第二実施形態の使用図を示した。本考案の第二実施形態による液晶表示装置１００は、液晶ディスプレイ２２１及びバックライト２２２によって構成される液晶表示モジュール２２を用いて明晰な画像を表示するものである。液晶膜１０は液晶表示装置１００での画像表示が必要な場合、液晶膜１０の透明導電膜１２に電流が流れ、液晶膜１０は通電状態となる。これにより、液晶層１１の液晶分子は電場作用を受けて単一方向の配列を行ない、液晶膜１０は高透明状となる。また、視覚的な透過性が備えられて視線を遮ることなく、液晶表示モジュール２２にははっきりとした画像が表示される。
【００１９】
液晶表示装置１００に画像を表示しない場合、液晶膜１０は電流切断状態となる。液晶膜１０の透明導電膜１２は電流を通過させないため、液晶層１１の液晶分子はランダム配列を行い、液晶膜１０は乳白色の均等に霧化する不透明状となり、液晶表示装置１００はホワイトボードとして用いることができる。また、静電容量式タッチパネル５２を用いてタッチセンサの画像表示機能をサポートする。
【００２０】
また、本考案の第二実施形態による液晶表示装置１００は支持部２００に設け、支持部２００の底部には複数のキャスタ３００をさらに設け、これにより、液晶表示装置１００は便利に移動させて使用することができる。
【００２１】
液晶表示装置１００の構成要素は簡単であり、製作コストが極めて低い。そのため、インテリジェント機能を備えたディスプレイに使用する場合は価格上で優位性がある。また、光学上でも長所があり、独特な表示特性に基づき、液晶膜１０を組み合わせて、反射式及び透過式の異なる応用ができる。
【００２２】
本考案の特徴及びそれが達成すると予測される効果を次に示す。
本考案の液晶表示装置１００は、液晶膜１０をバックライトパネルとして利用し、液晶表示装置１００には視覚的な透過性を備えさせる。画像を表示しない場合は透明状となり、視線を妨げることなく、液晶膜１０が、画像を表示しない場合に白色霧化の不透明状となるため、ホワイトボードとして用いることができる。
【符号の説明】
【００２３】
１００    液晶表示装置、
１０    液晶膜、
１１    液晶層、
１２    透明導電膜、
２０    画像表示ユニット、
２１    液晶ディスプレイ、
２２    液晶表示モジュール、
３０    光源装置、
３１    反射板、
３１１    底板、
３１２    側板、
３２    ＬＥＤ光源、
５０    板体、
５１    透明プラスチック板、
５２    静電容量式タッチパネル、
６０    フレーム、
２００    支持部、
３００    キャスタ。
【図１】
0003190235.tif 000003
【図２】
0003190235.tif 000004
【図３】
0003190235.tif 000005
【図４】
0003190235.tif 000006
【図５】
0003190235.tif 000007
【手続補正書】
【提出日】平成26年2月20日(2014.2.20)
【手続補正１】
【補正対象書類名】実用新案登録請求の範囲
【補正対象項目名】全文
【補正方法】変更
【補正の内容】
【実用新案登録請求の範囲】
【請求項１】
液晶膜、画像表示ユニット、板体、及びフレームを備える液晶表示装置であって、
前記液晶膜は、透明度がコントロール可能であり、
前記画像表示ユニットは、前記液晶膜の一方に設けられており、画像を表示するものであり、
前記板体は、透光性を有し、液晶膜の他方に設けられており、
前記フレームは、前記液晶膜、前記画像表示ユニット、及び前記板体の縁部に設けられており、前記液晶膜、前記画像表示ユニット、及び前記板体を結合させ、一体に固定することを特徴とする液晶表示装置。
【請求項２】
光源装置をさらに備え、
前記光源装置は、前記画像表示ユニットの縁部に設けられており、投射方向が前記液晶膜側に向いており、
前記画像表示ユニットは、液晶ディスプレイであり、
前記板体は、透明プラスチック板であることを特徴とする請求項１に記載の液晶表示装置。
【請求項３】
前記光源装置は、反射板及び複数のＬＥＤ光源を含み、
前記反射板は、細長形状であり、長手方向に形成されている底板を有し、前記ＬＥＤ光源が長手方向に沿って前記底板に固設されており、前記底板の短手方向の両側に長手方向に沿って側板が延長されており、一方の前記側板が前記フレームに固定されており、他方の前記側板が前記画像表示ユニットに固定されていることを特徴とする請求項２に記載の液晶表示装置。
【請求項４】
前記画像表示ユニットは、液晶表示モジュールであり、
前記板体は、静電容量式タッチパネルであり、
前記フレームは、鉛直方向の下側に支持部がさらに設けられており、
前記支持部は、前記フレームとは反対側に複数のキャスタが設けられていることを特徴とする請求項１に記載の液晶表示装置。